(57)【特許請求の範囲】
【請求項１】
周囲の照度を検知する照度センサ部と、照度のしきい値を設定する照度センサ制御部と、照明負荷部の点灯制御に関する信号を発生する信号入力手段と、前記信号入力手段が信号を発生した時点より一定時間を限時する第１のタイマ部と、照度センサ部の検知した照度が前記しきい値よりも暗い状態で信号入力手段から信号が入力されると、第１のタイマ部が一定時間の限時動作を終了するまでの間、照明負荷部を点灯させる器具制御部とを備え、器具制御部は、第１のタイマ部が一定時間を限時中に、照度センサ部の検知した照度が前記しきい値よりも暗くなると、第１のタイマ部の限時動作が終了するまで照明負荷部を点灯させるとともに、照明負荷部の点灯中に第１のタイマ部が計時した時間の経過に応じて、前記しきい値を消灯時の値よりも明るい所定値から徐々に暗い値に変化させることを特徴とする照明装置。
【請求項２】
第１のタイマ部の限時動作中に、照度センサ部の検知した照度が前記しきい値よりも暗くなると、第１のタイマ部がリセットされ、再び一定時間の限時動作を開始するとともに、第１のタイマ部の限時動作が終了するまで、器具制御部が照明負荷部を点灯させることを特徴とする請求項１記載の照明装置。
【請求項３】
信号入力手段が、人の存否を検知する人感センサ部であることを特徴とする請求項１記載の照明装置。
【請求項４】
信号入力手段が、予め設定された時間にタイマ信号を発生する第２のタイマ部であることを特徴とする請求項１記載の照明装置。
【請求項５】
信号入力手段が、ワイヤレス信号で送信される点灯信号を受信する信号受信部であることを特徴とする請求項１記載の照明装置。
【請求項６】
信号入力手段が、照明負荷部の点灯操作を行う操作部であることを特徴とする請求項１記載の照明装置。
【請求項７】
信号入力手段が、各部に動作電源を供給する電源部であり、器具制御部が、電源部の電源投入信号と照度センサ部の照度検知信号に基づいて、照明負荷部を制御することを特徴とする請求項１記載の照明装置。
【請求項８】
信号入力手段が、人の存否を検知する人感センサ部、予め設定された時間にタイマ信号を発生する第２のタイマ部、ワイヤレス信号で送信される点灯信号を受信する信号受信部、照明負荷部の点灯操作を行う操作部、及び、各部に動作電源を供給する電源部の内の複数の組み合わせからなることを特徴とする請求項１記載の照明装置。
【発明の詳細な説明】
【０００１】
【発明の属する技術分野】
本発明は、照度センサ部や人感センサ部を用いて照明負荷の様々な動作を制御する照明装置に関するものである。
【０００２】
【従来の技術】
この種の照明装置としては、図９に示すように、設置場所付近の照度を検知する照度センサ部１３と、所定の検知エリア内において人の存否を検知する人感センサ部１０と、照度センサ部１３及び人感センサ部１０の検知結果に基づいて照明負荷部１６を点灯制御する器具制御部１１とから構成されるものがあり、この照明装置は商用交流電源１８’から電源供給されていた。
【０００３】
この照明装置の動作を図１０のタイムチャートにより説明する。人感センサ部１０は人を検知すると、例えば論理”１”の検知信号Ｓ1 を出力し、人感センサ部１０は人を検知しなければ、例えば論理”０”の検知信号Ｓ1 を出力する。一方、照度センサ部１３の照度検知信号Ｓ4 が第１のしきい値たるしきい値Ｌ1 よりも暗ければ、照度センサ部１３は低照度信号（例えば、論理”１”）を出力する。そして、器具制御部１１は人感センサ部１０から論理”１”の信号が入力されると、照度センサ部１３の照度検知信号Ｓ4 を読み込み、照度センサ部１３の照度検知信号Ｓ4 と人感センサ部１０の検知信号Ｓ1 との論理積を求め、論理積の演算結果が論理”１”であれば、即ち、照度センサ部１３が低照度信号を出力していれば、器具制御部１１は照明負荷部１６を点灯させていた。ここで、器具制御部１１が照明負荷部１６を点灯させると、照明装置に設けられた点灯保持タイマ（図示せず）が所定の点灯保持時間の限時動作を開始し、この点灯保持タイマが限時動作を終了するまでの間、器具制御部１１は、照明負荷部１６の点灯状態を維持するとともに、照度センサ部１３の照度検知信号Ｓ4 を入力禁止とする。
【０００４】
一方、照度センサ部１３の照度検知信号Ｓ4 がしきい値Ｌ1 よりも明るければ、照度センサ部１３は高照度信号（論理”０”）を出力するので、器具制御部１１が照度センサ部１３の照度検知信号Ｓ4 と人感センサ部１０の検知信号Ｓ1 との論理積を求めると、論理積の演算結果は”０”となり、人感センサ部１０が人を検知したとしても、器具制御部１１が照明負荷部１６を点灯させることはない。
【０００５】
上述のように、この照明装置は照明器具本体に人感センサ部１０を設けているので、人感センサ部１０の検出信号は器具制御部１１にリアルタイムで入力されており、器具制御部１１は人感センサ部１０の検知信号と照度センサ部１３の検知信号との論理積をとり、その演算結果に基づいて照明負荷部を制御していた（特開平５−１１４４８９号参照）。
【０００６】
また、図１１に示すように、照明負荷部１６を備えた照明器具本体１と、照明器具本体１にワイヤレス信号にて点灯信号を送信し、照明負荷部１６の点灯状態を切り替えるリモコン送信器２とから構成される照明装置もあった。
照明器具本体１は、外部からワイヤレス信号で送信された点灯信号を受信する信号受信部１２と、設置場所付近の照度を検知する照度センサ部１３と、信号受信部１２を介して受信した点灯信号及び照度センサ部１３の照度検知信号Ｓ4 に基づいて照明負荷部１６の点灯状態を制御する器具制御部１１とから構成され、商用交流電源１８’により各部の動作電源が供給されていた。
【０００７】
また、リモコン送信器２は、所定の検知エリア内において人の存否を検知する人感センサ部２２と、人感センサ部２２の検知信号に基づいて照明負荷部１６の点灯信号を発生するリモコン制御部２１と、リモコン制御部２１の点灯信号をワイヤレス信号で照明器具本体１へ送信する信号送信部２３と、各種の操作を行うためのリモコン操作部２４と、各部に動作電源を供給する電池部２５’とから構成される。
【０００８】
この照明装置では、照明器具本体１側に照度センサ部１３を設けるとともに、リモコン送信器２側に人感センサ部２２を設けており、リモコン送信器２に設けられた人感センサ部２２が人を検知すると、リモコン制御部２１は、人感センサ部２２の検知信号に基づいて、照明負荷部１６を点灯させる点灯信号を、信号送信部２３から照明器具本体１へ送信させる。そして、照明器具本体１では、信号受信部１２がリモコン送信器２から送信された点灯信号を受信し、器具制御部１１がこの点灯信号に基づいて照明負荷部１６を一定時間だけ点灯させる。
【０００９】
この照明装置の動作を図１２に示すタイムチャートを参照して説明する。この照明装置も、上述した図９の照明装置と同様に、人感センサ部２２の検知エリア内に人が入ると、人感センサ部２２がリアルタイムで人を検知し、リモコン制御部２１は人感センサ部２２の検知信号Ｓ1 に基づいて、送信信号Ｓ2 を信号送信部２３から照明器具本体１へ送信させている。
【００１０】
ところで、リモコン送信器２の動作電源は電池部２５’から供給されているが、電池部２５’の電池容量には限りがある。また、信号送信部２３から照明器具本体１へ信号を送信する際に最も大きな電力を消費するので、図９の照明装置と同様に、人感センサ部２２が人を検知する度に、毎回信号送信部２３から照明器具本体１へ点灯信号を送信すると、信号送信部２３の信号送信回数が膨大な回数になり、電池部２５’の寿命が極端に短くなり、実用的でないという問題があった。
【００１１】
そこでリモコン送信器２では、図１２に示すように、時刻ｔ29で人感センサ部２２が初めて人を検知すると、リモコン制御部２１が人感センサ部２２の検知信号Ｓ1 に基づいて信号送信部２３に送信信号（点灯信号）Ｓ2 を送信させるとともに、リトリガタイマ（図示せず）の限時動作を開始させる。ここに、リトリガタイマは所定の限時時間Ｔ1 を限時するタイマである。このリトリガタイマの限時動作中に人感センサ部２２が人を検知しても、リモコン制御部２１は、人感センサ部２２が検知信号Ｓ1 を発生した履歴を記憶するのみで、信号送信部２３に送信信号Ｓ2 を送信させることはない。その後、時刻ｔ31でリトリガタイマが限時動作を終了すると、リモコン制御部２１は人感センサ部２２の履歴を確認し、リトリガタイマの限時動作中に人感センサ部２２が人を検知していれば、時刻ｔ31で信号送信部２３から照明器具本体１へ再び送信信号Ｓ2 を送信させる。また、リトリガタイマの限時動作中に人感センサ部２２が人を検知していなければ、リモコン制御部２１は信号送信部２３から照明器具本体１へ送信信号Ｓ2 を送信させない。
【００１２】
照明器具本体１では、リモコン送信器２の送信信号Ｓ2 が信号受信部１２を介して器具制御部１１に入力されると、器具制御部１１はその時点における照度センサ部１３の照度検知信号Ｓ4 を読み込む。照度センサ部１３には予め照度のしきい値Ｌ1 が設定されており、照度センサ部１３が検知した照度がしきい値Ｌ1 よりも暗ければ、照度センサ部１３は低照度信号を出力し、周囲の照度がしきい値Ｌ1 よりも明るければ、照度センサ部１３は高照度信号を出力する。そして、器具制御部１１は、照度センサ部１３が低照度信号を出力していれば、照明負荷部１６を点灯させるとともに、点灯保持タイマ（図示せず）に所定の点灯保持時間の限時動作を開始させ、点灯保持タイマの限時動作が終了するまでの間、照明負荷部１６の点灯状態を維持するとともに、照度センサ部１３の信号を入力禁止とする。
【００１３】
このリモコン送信器２では、リトリガタイマの限時動作中に人感センサ部２２が人を検知しても、信号送信部２３は送信信号Ｓ2 を送信しないので、信号送信部２３が送信信号Ｓ2 を送信する回数を減らすことにより、電池部２８’の消耗を減らして、電池部２８’の長寿命化を図っている。
【００１４】
【発明が解決しようとする課題】
上述した図１１に示す照明装置では、人感センサ部２２が時刻ｔ29で初めて人を検知すると、リモコン制御部２１が信号送信部２３を介して照明器具本体１に送信信号Ｓ2 を送信させるとともに、リトリガタイマが一定時間の限時動作を開始する。一方、照明器具本体１では、器具制御部１１に信号受信部１２を介して送信信号Ｓ2 が入力されると、器具制御部１１はこの時点における照度センサ部１３の照度検知信号Ｓ4 を読み込む。この時、周囲の照度がしきい値Ｌ1 よりも明るく、照度センサ部１３が高照度信号を出力しているので、器具制御部１１は照明負荷部１６を点灯させていなかった。
【００１５】
その後、リトリガタイマが限時動作中の時刻ｔ30において、周囲の照度がしきい値Ｌ1 よりも暗くなると、照度センサ部１３が低照度信号を出力するが、この時点ではリトリガタイマが依然として限時動作を行っているので、人感センサ部２２が検知信号Ｓ1 を発生しても、リモコン制御部２１が信号送信部２３に送信信号Ｓ2 を送信させることはない。
【００１６】
このように、リトリガタイマの限時動作中に、照明器具本体１の設置場所付近の照度がしきい値Ｌ1 より暗くなっても、リトリガタイマの限時動作が終了するまでの間、リモコン送信器２は照明器具本体１へ送信信号Ｓ2 を出力することができず、器具制御部１１は照明負荷部１６を点灯させることができないという問題があった。また、電池部２５’の電池容量とこの種の照明装置の使用状況から見て、リトリガタイマの限時時間はかなり長い時間に設定されることが多く、リトリガタイマの限時時間が長いほど、照明負荷部１６が点灯されない時間が長くなり、付近が暗くなって照明を必要とする時に、照明負荷部１６を点灯させることができなかった。
【００１７】
本発明は上記問題点に鑑みて為されたものであり、その目的とするところは、周囲の照度変化に応じて照明負荷部を点灯させることができる照明装置を提供することにある。
【００１８】
【課題を解決するための手段】
請求項１の発明では、上記目的を達成するために、周囲の照度を検知する照度センサ部と、照度のしきい値を設定する照度センサ制御部と、照明負荷部の点灯制御に関する信号を発生する信号入力手段と、信号入力手段が信号を発生した時点より一定時間を限時する第１のタイマ部と、照度センサ部の検知した照度が前記しきい値よりも暗い状態で信号入力手段から信号が入力されると、第１のタイマ部が一定時間の限時動作を終了するまでの間、照明負荷部を点灯させる器具制御部とを備え、器具制御部は、第１のタイマ部が一定時間を限時中に、照度センサ部の検知した照度が前記しきい値よりも暗くなると、第１のタイマ部の限時動作が終了するまで照明負荷部を点灯させるとともに、照明負荷部の点灯中に第１のタイマ部が計時した時間の経過に応じて、前記しきい値を消灯時の値よりも明るい所定値から徐々に暗い値に変化させることを特徴とする。
【００１９】
請求項２の発明では、請求項１の発明において、第１のタイマ部の限時動作中に、照度センサ部の検知した照度が第１のしきい値よりも暗くなると、第１のタイマ部がリセットされ、再び一定時間の限時動作を開始するとともに、第１のタイマ部の限時動作が終了するまで、器具制御部が照明負荷部を点灯させることを特徴とする。
【００２１】
請求項３の発明では、請求項１の発明において、信号入力手段が人の存否を検知する人感センサ部からなり、請求項４の発明では、信号入力手段が予め設定された時間にタイマ信号を発生する第２のタイマ部からなり、請求項５の発明では、信号入力手段がワイヤレス信号で送信される点灯信号を受信する信号受信部からなり、請求項６の発明では、信号入力手段が照明負荷部の点灯操作を行う操作部からなり、請求項７の発明では、信号入力手段が各部に動作電源を供給する電源部からなり、器具制御部が電源部の電源投入信号と照度センサ部の照度検知信号に基づいて、照明負荷部を制御することを特徴とし、請求項８の発明では、信号入力手段が、人の存否を検知する人感センサ部、予め設定された時間にタイマ信号を発生する第２のタイマ部、ワイヤレス信号で送信される点灯信号を受信する信号受信部、照明負荷部を点灯操作する操作部、及び、各部に動作電源を供給する電源部の内の複数の組み合わせからなることを特徴とする。
【００２２】
【発明の実施の形態】
本発明の実施の形態を図面を参照して説明する。
（基本構成１）
本発明に係る照明装置の基本構成を示すブロック図を図１に示し、その動作を説明するタイムチャートを図２に示す。
【００２３】
照明器具本体１は、後述する各部の動作を制御する器具制御部１１と、外部より赤外線光等の光信号からなるワイヤレス信号で送信された点灯信号を受信する信号入力手段たる信号受信部１２と、照明器具本体１の設置場所付近の照度を検知する照度センサ部１３と、照度のしきい値の設定など照度センサ部の様々な制御を行う照度センサ制御部１４と、動作プログラムや設定値などを記憶するＲＯＭ及びデータを記憶するＲＡＭなどからなるメモリ部１５と、器具制御部１１によって点灯制御される照明負荷部１６と、照明負荷部１６の点灯／消灯などの操作や各種の設定を行うための操作部たる設定操作部１７と、照明器具本体１の各部に動作電源を供給する電源部１８と、照明負荷部１６の点灯保持時間を計時する第１のタイマ部たる点灯保持タイマ１９ａとから構成される。
【００２４】
リモコン送信器２は、後述する各部の動作を制御するリモコン制御部２１と、人の存否を検知する人感センサ部２２と、照明器具本体１へ赤外線光等の光信号からなるワイヤレス信号で点灯信号を送信する信号送信部２３と、照明器具本体１の点灯／消灯などの遠隔操作や設定を行うためのリモコン操作部２４と、リモコン送信器２の各部に動作電源を供給する電源部２５と、信号送信部２３が制御信号を送信してから一定時間を限時するリトリガタイマ２６とから構成される。
【００２５】
この照明装置の動作を図２のタイムチャートに従って説明する。時刻ｔ1 でリモコン送信器２に設けられた人感センサ部２２が初めて人を検知すると、リモコン制御部２１は、人感センサ部２２の検知信号Ｓ1 に基づいて、信号送信部２３から照明器具本体１へ送信信号Ｓ2 （オン信号）を送信させるとともに、リトリガタイマ２６に一定時間の限時動作を開始させる。
【００２６】
照明器具本体１では、信号受信部１２がリモコン送信器２から送信された送信信号Ｓ2 を受信し、器具制御部１１に信号受信部１２の受信信号Ｓ3 が入力されると、器具制御部１１は照度センサ部１３の照度検知信号Ｓ4 を読み込むとともに、照度検知信号Ｓ4 の明暗と無関係に点灯保持タイマ１９ａに所定の点灯保持時間の限時動作を開始させる。
【００２７】
時刻ｔ1 では、照度センサ部１３の照度検知信号Ｓ4 が所定のしきい値Ｌ1 よりも明るく高照度信号を出力しているので、器具制御部１１は、点灯保持タイマ１９ａが点灯保持時間の限時動作中であっても、照明負荷部１６を点灯させることなく、消灯させる。その後、点灯保持タイマ１９ａが限時動作を継続している間、器具制御部１１は照度センサ部１３の照度検知信号Ｓ4 を逐次読み込み、時刻ｔ2 において、照度センサ部１３の照度検知信号Ｓ4 がしきい値Ｌ1 よりも暗くなり、低照度信号を出力すると、時刻ｔ1 から点灯保持タイマ１９ａが限時動作を終了するまでの間、器具制御部１１が照明負荷部１６を点灯させる。
【００２８】
ところで、時刻ｔ1 で人感センサ部２２が検知信号Ｓ1 を発生すると、リモコン制御部２１がリトリガタイマ２６の限時動作を開始させており、時刻ｔ1 からリトリガタイマ２６の限時動作が終了する時刻ｔ3 までの間に、人感センサ部２２が検知信号Ｓ1 を発生しても、リモコン制御部２１は信号送信部２３に送信信号Ｓ2 を送信させることなく、人感センサ部２２が発生した検知信号Ｓ1 の履歴を記憶する。そして、時刻ｔ1 から時刻ｔ3 までの間に人感センサ部２２が検知信号Ｓ1 を発生していれば、時刻ｔ3 で、リモコン制御部２１は信号送信部２３から照明器具本体１へ送信信号Ｓ2 を送信させるとともに、リトリガタイマ２６に再び一定時間の限時動作を開始させる。
【００２９】
時刻ｔ3 でリモコン送信器２が照明器具本体１へ送信信号Ｓ2 を送信すると、信号受信部１２が送信信号Ｓ2 を受信する。信号受信部１２から器具制御部１１に受信信号Ｓ3 が入力されると、器具制御部１１は点灯保持タイマ１９ａをリセットし、時刻ｔ3 から点灯保持時間の限時動作を再開させるとともに、点灯保持タイマ１９ａの限時動作が終了するまでの間、照明負荷部１６を点灯させる。ここで、点灯保持タイマ１９ａの限時時間は、リトリガタイマ２６の限時時間よりも長い時間に設定されている。
【００３０】
同様にして、時刻ｔ3 から時刻ｔ5 まで器具制御部１１が照明負荷部１６を点灯させた後、時刻ｔ5 でリトリガタイマ２６が限時動作を開始してから、時刻ｔ6 でリトリガタイマ２６が限時動作を終了するまでの間、人感センサ部２２が検知信号Ｓ1 を発生しなかった場合、時刻ｔ6 でリモコン制御部２１は信号送信部２３から照明器具本体１へ送信信号Ｓ2 を送信させない。したがって、照明器具本体１では、時刻ｔ5 以降、信号受信部１２がリモコン送信器２からの送信信号Ｓ2 を受信することができないので、点灯保持タイマ１９ａが点灯保持時間の限時動作を終了した時刻ｔ7 で、器具制御部１１は照明負荷部１６を消灯させる。
【００３１】
このように照明器具本体１では、信号受信部１２がリモコン送信器１からの送信信号Ｓ2 を受信すると、先ず器具制御部１１が、信号受信部１２の受信信号Ｓ3 と、照度センサ部１３の照度検知信号Ｓ4 との論理積を求める。ここで、受信信号Ｓ3 はオン信号ならば論理(1) 、オン信号以外ならば論理(0) とし、照度検知信号Ｓ4 は低照度信号ならば論理(1) 、高照度信号ならば論理(0) とする。そして、この論理積の演算結果が論理(1) の場合、器具制御部１１は、点灯保持タイマ１９ａの限時動作を開始させるとともに、点灯保持タイマ１９ａの限時動作が終了するまで、照明負荷部１６を点灯させる。一方、論理積の演算結果が論理(0) の場合、器具制御部１１は、照明負荷部１６を点灯させず、点灯保持タイマ１９ａの限時動作を開始させ、点灯保持タイマ１９ａの動作状態と照度検知信号Ｓ4 との論理積を逐次求める。尚、点灯保持タイマ１９ａが限時動作中であれば論理(1) 、点灯保持タイマ１９ａが限時動作を終了すれば論理(0) とする。そして、この論理積の演算結果が論理(1) になれば、その時点から点灯保持タイマ１９ａが限時動作を終了するまでの間、器具制御部１１が照明負荷部１６を点灯させ、論理積の演算結果が論理(0) になれば、器具制御部１１が照明負荷部１６を消灯させる。
【００３２】
したがって、リモコン送信器２では、リトリガタイマ２６の限時動作中に、人感センサ部２２が検知信号Ｓ1 を発生しても、送信信号Ｓ2 を送信しないので、送信信号Ｓ2 の送信回数を減らすことができ、電源部２５の消耗を少なくして、長寿命化を図ることができる。また、照明器具本体１はリモコン送信器２から送信信号Ｓ2 を受信しても、その時点における周囲の照度がしきい値Ｌ1 よりも明るければ、器具制御部１１は照明負荷部１６を点灯させることなく消灯させ、点灯保持タイマ１９ａの限時動作を開始させる。そして、点灯保持タイマ１９ａの限時動作中に周囲の照度がしきい値Ｌ1 よりも暗くなれば、器具制御部１１は照明負荷部１６を点灯させているので、周囲が暗くなり照明を必要とする時には、直ぐに器具制御部１１が照明負荷部１６を点灯させることができる。
【００３３】
尚、この照明装置では、信号入力手段としてリモコン送信器２の送信信号を受信する信号受信部１２を用いているが、図３に示すように、信号受信部１２の代わりに、例えば人感センサ部からなる信号入力手段１２’を設け、器具制御部１１が、信号入力手段１２’から入力さる信号と照度センサ部１３の照度検知信号Ｓ４との論理積を演算するようにしても良いし、信号入力手段として電源部１８を用い、器具制御部１１が、電源部１８の電源投入信号と照度センサ部１３の照度検知信号１１とに基づいて、照明負荷部１６の点灯制御を行ってもよい。
【００３４】
また、この照明装置では、照明器具本体１がリモコン送信器２から送信信号Ｓ２を受信した時点で、照度センサ部１３の照度検知信号Ｓ４がしきい値Ｌ１よりも明るい場合、器具制御部１１は照明負荷部１６を消灯させる。その後、点灯保持タイマ１９ａの限時動作中、器具制御部１１は照度センサ部１３の照度検知信号Ｓ４を逐次読み込み、照度検知信号Ｓ４がしきい値Ｌ１よりも暗くなると、その時点から点灯保持タイマ１９ａの限時動作が終了するまでの間、器具制御部１１が照明負荷部１６を点灯させているが、図４に示すように、照度センサ部１３の照度検知信号Ｓ４がしきい値Ｌ１よりも暗くなった時刻ｔ９で、点灯保持タイマ１９ａの限時動作をリセットし、時刻ｔ９から所定の点灯保持時間の限時動作を再開させ、時刻ｔ９から点灯保持タイマ１９ａの限時動作が終了する時刻ｔ１０までの間、器具制御部１１が照明負荷部１６を点灯させるようにしてもよい。
【００３５】
（基本構成２）
ところで、一般に照度センサ部１３を備えた照明装置において、照明負荷部１６の点灯後も、器具制御部１１が照度センサ部１３の照度検知信号Ｓ４に基づいて照明負荷部１６を点灯制御していると、照明負荷部１６の点灯によって照度センサ部１３の照度検知信号Ｓ４が所定のしきい値Ｌ１  を大きく上回って、器具制御部１１が照明負荷部１６を消灯させるため、照明装置が自己点滅を繰り返すというトラブルが発生する恐れがある。
【００３６】
そこで以下に説明する照明装置では、基本構成１で説明した照明装置において、照明負荷部１６が点灯してから消灯するまでの間、器具制御部１１が照度センサ部１６の照度検知信号Ｓ４を入力禁止にしている。尚、照明装置の構成は基本構成１で説明した照明装置と同様であるので、その説明は省略する。
図５に示すように、時刻ｔ２において照度センサ部１３の照度検知信号Ｓ４がしきい値Ｌ１よりも暗くなると、器具制御部１１は照明負荷部１６を点灯させる。この時、照明負荷部１６の点灯によって、照度センサ部１３の照度検知信号Ｓ４は照度のしきい値Ｌ１を遙かに上回り、高照度信号を出力する。ここで、照明負荷部１６が点灯中（時刻ｔ２から時刻ｔ７まで）は、器具制御部１１が照度センサ部１３の照度検知信号Ｓ４を入力禁止としているので、照度センサ部１３が高照度信号を出力しても、器具制御部１１は照度センサ部１３の照度検知信号Ｓ４を無視して、点灯保持タイマ１９ａの限時動作が終了するまでの間、照明負荷部１６を継続して点灯させることができ、照明負荷部１６が自己点滅するというトラブルを防止することができる。
【００３７】
ところで、この照明装置では、照明負荷部１６の点灯中に、器具制御部１１が照度センサ部１３の照度検知信号Ｓ４を入力禁止にしているが、照明負荷部１６の点灯中に、照度センサ部１３の動作を停止させても良い。
尚、照明負荷部１６の点灯中に照度センサ部１３の照度検知信号Ｓ４を入力禁止とする点以外は、図２に示す基本構成１の照明装置の動作と同様であるので、その説明は省略する。
【００３８】
（実施形態１）
本実施形態の照明装置の動作を図６のタイムチャートを参照して説明する。尚、照明装置の構成は基本構成１で説明した照明装置と同様であるので、その説明は省略する。時刻ｔ１１で、人感センサ部２２が検知信号Ｓ１を発生し、リモコン送信器２が照明器具本体１へ送信信号Ｓ２を送信すると、照明器具本体１の信号受信部１２がリモコン送信器２からの送信信号Ｓ２を受信する。器具制御部１１に信号受信部１２から受信信号Ｓ３が入力されると、器具制御部１１は、照度センサ部１３の照度検知信号Ｓ４を読み込むとともに、点灯保持タイマ１９ａに所定の点灯保持時間の限時動作を開始させる。ここで、時刻ｔ１１では、照度センサ部１３の照度検知信号Ｓ４が第１のしきい値Ｌ２よりも明るく、高照度信号を出力しているので、器具制御部１１は照明負荷部１６を点灯させず、消灯させている。
【００３９】
その後、時刻ｔ12で照度センサ部１３の照度検知信号Ｓ4 が第１のしきい値Ｌ2 よりも暗くなると、時刻ｔ12から点灯保持タイマ１９ａの限時動作が終了するまでの間、器具制御部１１が照明負荷部１６を点灯させる。ここで、照明負荷部１６の点灯中は、照度センサ制御部１４が、照度のしきい値を第１のしきい値Ｌ2 よりも明るい第２のしきい値Ｌ3 に切り替えている。
【００４０】
このように、照明負荷部１６が点灯している間、照度センサ制御部１４が照度のしきい値を第２のしきい値Ｌ3 に切り替えているので、照明負荷部１６が点灯しても、照度センサ部１３の照度検知信号Ｓ4 が第２のしきい値Ｌ3 よりも暗くなり、照度センサ部１３が低照度信号を出力するので、器具制御部１１は照明負荷部１６の点灯状態を維持する。
【００４１】
ところで、器具制御部１１が照明負荷部１６を点灯させた後も、器具制御部１１は照度センサ部１３の照度検知信号Ｓ4 を逐次読み込んでおり、時刻ｔ14で、例えば窓から太陽光線などの外光が入射し、照度センサ部１３の照度検知信号Ｓ4 が第２のしきい値Ｌ3 よりも明るくなり、高照度信号を出力すると、器具制御部１１は照明負荷部１６を消灯させる。尚、器具制御部１１が照明負荷部１６を消灯させると、照度センサ制御部１４は照度のしきい値を第２のしきい値Ｌ3 から第１のしきい値Ｌ2 に戻している。
【００４２】
このように、照明負荷部１６の点灯後も、器具制御部１１が、照度センサ部１３の照度検知信号Ｓ4 に基づいて、照明負荷部１６の点灯制御を行っているので、照明負荷部１６の点灯後に外光等が入射して異常に明るくなった場合に、器具制御部１１が照明負荷部１６を消灯させて、照明負荷部１６が無駄に点灯するのを防止することができる。
【００４３】
尚、本実施形態では、照度センサ部１３の照度検知信号Ｓ4 のしきい値として、照度センサ制御部１４が第１及び第２のしきい値Ｌ2 ，Ｌ3 （照明負荷部１６の点灯時と消灯時）の２種類のしきい値を設けたが、照度のしきい値を可変とし、照明負荷部１６を点灯した後の周囲の照度に応じて、照度センサ制御部１４が照度のしきい値を複数段設定しても良いし、例えば点灯保持タイマ１９ａの計時時間の経過とともに、照度のしきい値を除々に暗くしても良いし、照度のしきい値を連続的に設定しても良い。
【００４４】
（実施形態２）
実施形態１および基本構成１、２の照明装置では、信号入力手段として、リモコン送信器２からの送信信号Ｓ１を受信する信号受信部１２や、人の存否を検知する人感センサ部を用いているが、本実施形態の照明装置では、図７に示すように、信号入力手段として所定の時刻にタイマ信号を発生する第２のタイマ部たるタイマ１９ｂを用いている。
【００４５】
例えば、リモコン送信器２のリモコン操作部２４で照明負荷部１６の点灯／消灯操作を行ったり、リモコン送信器２に設けられた人感センサ部２２が人を検知したりすると、器具制御部１１が照明負荷部１６を点灯させるような照明装置では、人感センサ部２２が人を検知した場合に器具制御部１１が照明負荷部１６を点灯制御する制御内容について、複数の点灯モードが器具制御部１１に設定されている。例えばタイマ１９ｂに各点灯モードの時間帯が予め設定されており、タイマ１９ｂのタイマ信号に応じて点灯モードが順次切り替わって行く。
【００４６】
図８に示すように、器具制御部１１の点灯モードＭＤとして、通常の”アクティブモード”と、”お出迎えモード”の二つの点灯モードがある場合について説明する。ここで、器具制御部１１の点灯モードＭＤは、予め設定されたタイマによって、時刻ｔ21（例えば午後６時）で”アクティブモード”から”お出迎えモード”に切り替わっている。
【００４７】
まず、”アクティブモード”では、基本構成１で説明した照明装置と同様に、リモコン送信器２に設けた人感センサ部２２の検知信号と、照明器具本体１に設けた照度センサ部１３の照度検知信号Ｓ４に基づいて、器具制御部１１が照明負荷部１６を点灯制御している。例えば時刻ｔ１９で、リモコン送信器２の人感センサ部２２が人を検知し、器具制御部１１に信号受信部１２の受信信号Ｓ３が入力されると、器具制御部１１は照度センサ部１３の照度検知信号Ｓ４を読み込むとともに、点灯保持タイマ１９ａに所定の点灯保持時間の限時動作を開始させる。この時、照度センサ部１３の照度検知信号Ｓ４はしきい値Ｌ１よりも暗く、低照度信号を出力しているので、点灯保持タイマ１９ａが限時動作を終了するまでの間、器具制御部１１が照明負荷部１６を全点灯（例えば、１００％の調光レベル）させる。その後、点灯保持タイマ１９ａの限時動作が終了するまでに、信号受信部１２がリモコン送信器２の送信信号を受信しなければ、点灯保持タイマ１９ａの限時動作が終了する時刻ｔ２０で、器具制御部１１が照明負荷部１６を消灯させる。
【００４８】
一方、”お出迎えモード”では、人感センサ部２２が人を検知していなくても、器具制御部１１が照明負荷部１６をある一定の調光レベル（例えば、３０％の調光レベル）で調光点灯し、人感センサ部２２が人を検知して、器具制御部１１に信号受信部１２の受信信号Ｓ3 が入力されると、器具制御部１１が照明負荷部１６を所定の点灯保持時間だけ全点灯させる。
【００４９】
ここで、時刻ｔ21で器具制御部１１へタイマ１９ｂのタイマ信号が入力されると、器具制御部１１の点灯モードＭＤが”アクティブモード”から”お出迎えモード”に切り替わり、器具制御部１１が、お出迎えモードの設定時間を限時するお出迎えタイマ１９ｃが限時動作を開始させるとともに、照度センサ部１３の照度検知信号Ｓ4 及びお出迎えタイマ１９ｃの動作状態とを読み込む。そして、器具制御部１１は、照度センサ部１３の照度検知信号Ｓ4 と、お出迎えタイマ１９ｃの動作状態との論理積を求め、論理積の演算結果が論理(1) であれば、器具制御部１１が照明負荷部１６を調光点灯させ、論理積の演算結果が論理(0) であれば、器具制御部１１が照明負荷部１６を消灯させる。尚、照度センサ部１３の照度検知信号Ｓ4 はしきい値Ｌ1 よりも暗ければ論理(1) 、しきい値Ｌ1 よりも明るければ論理(0) とし、お出迎えタイマ１９ｃの動作状態は限時動作中であれば論理(1) 、限時動作を終了していれば論理(0) とする。
【００５０】
ところで、時刻ｔ21では、照度センサ部１３の照度検知信号Ｓ4 はしきい値Ｌ4 よりも明るく、高照度信号を出力しており〔論理(0) 〕、器具制御部１１が照度センサ部１３の照度検知信号Ｓ4 とお出迎えタイマ１９ｃの動作状態との論理積を求めると、論理積の演算結果が論理(0) となるので、器具制御部１１は照明負荷部１６を点灯させることなく、消灯させる。その後も、お出迎えタイマ１９ｃの限時動作中に器具制御部１１が照度センサ部１３の照度検知信号Ｓ4 を逐次読み込み、照度検知信号Ｓ4 とお出迎えタイマ１９ｃの動作状態との論理積を演算しており、時刻ｔ22で、照度センサ部１３の照度検知信号Ｓ4 がしきい値Ｌ1 よりも暗く、低照度信号になると〔論理(1) 〕、論理積の演算結果が論理(1) となり、器具制御部１１は照明負荷部１６を調光点灯させる。
【００５１】
その後、時刻ｔ23で信号受信部１２がリモコン送信器１からの送信信号を受信すると、器具制御部１１は、信号受信部１２の受信信号Ｓ3 に基づいて、点灯保持タイマ１９ａの限時動作が終了する時刻ｔ24までの間、照明負荷部１６を全点灯させる。
また時刻ｔ25で信号受信部１２がリモコン送信器１からの送信信号を受信すると、器具制御部１１は信号受信部１２の受信信号Ｓ3 に基づいて点灯保持タイマ１９ａの限時動作を開始させるとともに、照明負荷部１６を全点灯させる。その後、点灯保持タイマ１９ａの限時動作が終了するまでに、時刻ｔ26，ｔ27で信号受信部１２が受信信号Ｓ3 を受信すると、その都度点灯保持タイマ１９ａがリセットされ、その時点から再び点灯保持時間の限時動作を開始するので、信号受信部１２が受信信号Ｓ3 を最後に受信した時刻ｔ27から、点灯保持タイマ１９ａが点灯保持時間の限時動作を終了した時刻ｔ28まで、器具制御部１１は照明負荷部１６を全点灯させる。
【００５２】
尚、上述の実施形態では、信号入力手段として、リモコン送信器２からの信号を受信する信号受信部１２や、人の存否を検知する人感センサ部や、所定の時刻にタイマ信号を発生するタイマ１９ｂを用いているが、信号入力手段として、設定操作部１７、或いは、電源部１８を用い、器具制御部１１が、設定操作部１７の操作信号、或いは、電源部１８の電源投入信号と、照度センサ部１３の照度検知信号とに基づいて、照明負荷部を点灯制御しても良い。また、信号入力手段を、信号受信部１２、人感センサ部、タイマ部１９ｂ、設定操作部１７及び電源部１８の内の複数の組み合わせとしても良い。
【００５３】
【発明の効果】
請求項１の発明は、上述のように、周囲の照度を検知する照度センサ部と、照度のしきい値を設定する照度センサ制御部と、照明負荷部の点灯制御に関する信号を発生する信号入力手段と、信号入力手段が信号を発生した時点より一定時間を限時する第１のタイマ部と、照度センサ部の検知した照度が前記しきい値よりも暗い状態で信号入力手段から信号が入力されると、第１のタイマ部が一定時間の限時動作を終了するまでの間、照明負荷部を点灯させる器具制御部とを備え、器具制御部は、第１のタイマ部が一定時間を限時中に、照度センサ部の検知した照度が前記しきい値よりも暗くなると、第１のタイマ部の限時動作が終了するまで照明負荷部を点灯させるとともに、照明負荷部の点灯中に第１のタイマ部が計時した時間の経過に応じて、前記しきい値を消灯時の値よりも明るい所定値から徐々に暗い値に変化させており、第１のタイマ部が限時動作を終了するまで信号入力手段から入力された信号を保持することができるので、信号入力手段から信号が入力された時点で周囲が十分に明るい場合は、器具制御部が照明負荷部を消灯させ、その後第１のタイマ部が限時動作を終了するまでに、周囲が暗くなると、器具制御部が照明負荷部を点灯させることができ、周囲の照度変化に応じて、器具制御部が照明負荷部を即座に点灯できるという効果がある。しかも、照明負荷部の点灯中に、第１のタイマ部が計時した時間の経過とともに、照度センサ制御部が照度のしきい値を消灯時の値よりも明るい所定値から徐々に暗い値に変化させているので、器具制御部が照明負荷部を点灯した際に、照明負荷部の点灯によって照度センサ部の検知した照度がしきい値よりも明るくなって、器具制御部が照明負荷部を消灯するといったトラブルを防止できるという効果がある。また、照明負荷部が点灯された後も、器具制御部は信号入力手段の信号と照度センサ部の照度検知信号とに基づいて照明負荷部を点灯制御しているので、周囲が十分に明るい場合は照明負荷部を消灯させることにより、照明負荷部が無駄に点灯されるのを防止できるという効果もある。
【００５４】
請求項２の発明は、第１のタイマ部の限時動作中に、照度センサ部の検知した照度が前記しきい値よりも暗くなると、第１のタイマ部がリセットされ、再び一定時間の限時動作を開始するとともに、第１のタイマ部の限時動作が終了するまで、器具制御部が照明負荷部を点灯させているので、照明負荷部の点灯時間を、第１のタイマ部に設定された一定時間とすることができるという効果がある。
【００５７】
請求項３の発明は、信号入力手段が人の存否を検知する人感センサ部から構成されているので、周囲に人が来ると自動的に照明負荷部を点灯させることができるという効果がある。
請求項４の発明は、信号入力手段が予め設定された時間にタイマ信号を発生する第２のタイマ部から構成されているので、所定の時間に照明負荷部を点灯させることができるという効果がある。
【００５８】
請求項５の発明は、信号入力手段が、ワイヤレス信号で送信される点灯信号を受信する信号受信部から構成されているので、照明負荷部を遠隔操作することができるという効果がある。
請求項６の発明は、信号入力手段が、照明負荷部の点灯操作を行う操作部から構成されているので、使用者が照明負荷部を点灯させたい時に、照明負荷部を点灯させることができるという効果がある。
【００５９】
請求項７の発明は、信号入力手段が、各部に動作電源を供給する電源部であり、器具制御部が、電源部の電源投入信号と照度センサ部の照度検知信号に基づいて、照明負荷部を制御しているので、電源投入時に照明負荷部を一定時間点灯させることができるという効果がある。
請求項８の発明は、信号入力手段が、人の存否を検知する人感センサ部、予め設定された時間にタイマ信号を発生する第２のタイマ部、ワイヤレス信号で送信される点灯信号を受信する信号受信部、照明負荷部の点灯操作を行う操作部、及び、各部に動作電源を供給する電源部の内の複数の組み合わせから構成されているので、複数の信号入力によって照明負荷部を点灯させることができるという効果がある。
【図面の簡単な説明】
【図１】  本発明に係る照明装置の基本構成１を示すブロック図である。
【図２】  同上の動作を説明するタイムチャートである。
【図３】  同上の別の照明装置を示すブロック図である。
【図４】  同上の別の動作を説明するタイムチャートである。
【図５】  同上の基本構成２を説明するタイムチャートである。
【図６】  実施形態１の照明装置の動作を説明するタイムチャートである。
【図７】  実施形態２の照明装置を示すブロック図である。
【図８】  同上の動作を説明するタイムチャートである。
【図９】  従来の照明装置を示すブロックである。
【図１０】  同上の動作を説明するタイムチャートである。
【図１１】  同上の別の照明装置を示すブロックである。
【図１２】  同上の別の動作を説明するタイムチャートである。
【符号の説明】
２  リモコン送信器
１１  器具制御部
１２  信号受信部
１３  照度センサ部
１６  照明負荷部
１９ａ  点灯保持タイマ
【図１】
0003809701.tif 000002
【図２】
0003809701.tif 000003
【図３】
0003809701.tif 000004
【図４】
0003809701.tif 000005
【図５】
0003809701.tif 000006
【図６】
0003809701.tif 000007
【図７】
0003809701.tif 000008
【図８】
0003809701.tif 000009
【図９】
0003809701.tif 000010
【図１０】
0003809701.tif 000011
【図１１】
0003809701.tif 000012
【図１２】
0003809701.tif 000013